【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
移動可能な移動端末装置と通信可能な広告配信サーバであって、
希望広告情報と特定広告情報とを管理する広告データベースと、
前記移動端末装置のユーザにより指定される希望広告情報と、前記ユーザの特定情報と、広告情報配信要求を取得可能な取得手段と、
前記取得手段により取得される希望広告情報に従い前記広告データベースを検索して希望広告情報を選択する第１の選択手段と、
前記取得手段により取得される特定情報に従い前記広告データベースを検索して特定広告情報を選択する第２の選択手段と、
前記第１，第２の選択手段により選択された希望広告情報と特定広告情報とを組み合わせてなる広告表示情報を生成して前記移動端末装置に対して配信する広告配信手段と、
を備えることを特徴とする広告配信サーバ。
【請求項２】
前記取得手段は前記移動端末装置の現在位置情報と、移動目的地情報とを取得することを備え、
前記取得手段により取得される前記現在位置情報と前記目的地情報とに従い特定の移動経路を検索する経路検索手段をさらに備え、
前記第２の選択手段は、前記経路検索手段によって検索された経路の地点について、あらかじめ登録されている条件に従い前記広告データベースを検索して特定広告情報を選択することを特徴とする請求項１記載の広告配信サーバ。
【請求項３】
前記特定広告情報は、前記移動端末装置において次の希望広告情報の要求指示があった場合に、前記移動端末装置の表示部に表示されるためのデータであることを特徴とする請求項１乃至２記載の広告配信サーバ。
【請求項４】
前記広告配信手段は、前記取得手段により取得される前記移動端末装置の現在位置情報に従う特定位置に基づいて、前記第２の選択手段により前記広告データベースから特定広告情報を選択して前記希望広告情報に組み合わせて前記移動端末装置に対して配信することを特徴とする請求項１乃至３記載の広告配信サーバ。
【請求項５】
前記広告配信手段は、前記取得手段により取得される次の広告情報配信要求に基づいて、前記第２の選択手段により前記広告データベースから選択されている特定広告情報に継続する特定広告情報を選択して前記移動端末装置に対して継続配信することを特徴とする請求項１乃至４記載の広告配信サーバ。
【請求項６】
通信により広告配信サーバに現在位置情報を通知可能な移動端末装置であって、
ユーザにより指定される希望広告情報と、前記ユーザの特定情報と、次の広告情報配信要求を前記広告配信サーバに発信するためのユーザインタフェースを表示する表示手段と、
前記ユーザインタフェースを介して指定されるユーザにより指定される希望広告情報と、前記ユーザの特定情報と、次の広告情報配信要求および前記移動端末装置の現在位置情報と、移動目的地情報とを前記広告配信サーバに発信する発信手段と、
前記広告配信サーバにより配信される希望広告情報と該希望広告情報に対して選択される特定広告情報とを受信する受信手段と、
前記受信手段により受信された希望広告情報を前記表示手段に表示するとともに、前記ユーザインタフェースを介して次の希望広告情報要求があった場合に、受信された特定広告情報を前記表示手段に表示する広告表示制御手段と、
を有することを特徴とする移動端末装置。
【請求項７】
移動端末装置と広告配信サーバとが通信可能な広告配信システムであって、
広告配信サーバは、
希望広告情報と特定広告情報とを管理する広告データベースと、
前記移動端末装置のユーザにより指定される希望広告情報と、前記ユーザの特定情報と、広告情報配信要求を取得可能な取得手段と、
前記取得手段により取得される希望広告情報に従い前記広告データベースを検索して希望広告情報を選択する第１の選択手段と、
前記取得手段により取得される特定情報に従い前記広告データベースを検索して特定広告情報を選択する第２の選択手段と、
前記第１，第２の選択手段により選択された希望広告情報と特定広告情報とを組み合わせてなる広告表示情報を生成して前記移動端末装置に対して配信する広告配信手段とを備え、
前記移動端末装置は、
ユーザにより指定される希望広告情報と、前記ユーザの特定情報と、次の広告情報配信要求を前記広告配信サーバに発信するためのユーザインタフェースを表示する表示手段と、
前記ユーザインタフェースを介して指定されるユーザにより指定される希望広告情報と、前記ユーザの特定情報と、広告情報配信要求を前記広告配信サーバに発信する発信手段と、
前記広告配信サーバにより配信される希望広告情報と該希望広告情報に対して選択されている特定広告情報とを受信する受信手段と、
前記受信手段により受信された希望広告情報を前記表示手段に表示するとともに、前記ユーザインタフェースを介して次の希望広告情報要求があった場合に、受信された特定広告情報を前記表示手段に表示する広告表示制御手段と、
を有することを特徴とする広告配信システム。
【請求項８】
移動可能な移動端末装置と通信可能な広告配信サーバにおける広告配信処理方法であって、
前記移動端末装置のユーザにより指定される希望広告情報と、前記ユーザの特定情報と、広告情報配信要求を取得可能な取得ステップと、
前記取得ステップにより取得される希望広告情報に従い希望広告情報と特定広告情報とを管理する広告データベースを検索して希望広告情報を選択する第１の選択ステップと、
前記取得ステップにより取得される特定情報に従い前記広告データベースを検索して特定広告情報を選択する第２の選択ステップと、
前記第１，第２の選択ステップにより選択された希望広告情報と特定広告情報とを組み合わせてなる広告表示情報を生成して前記移動端末装置に対して配信する広告配信ステップと、
を備えることを特徴とする広告配信処理方法。
【請求項９】
通信により広告配信サーバに現在位置情報を通知可能な移動端末装置における広告配信処理方法であって、
ユーザにより指定される希望広告情報と、前記ユーザの特定情報と、次の広告情報配信要求を前記広告配信サーバに発信するためのユーザインタフェースを表示する表示ステップと、
前記ユーザインタフェースを介して指定されるユーザにより指定される希望広告情報と、前記ユーザの特定情報と、次の広告情報配信要求および前記移動端末装置の現在位置情報と、移動目的地情報とを前記広告配信サーバに発信する発信ステップと、
前記広告配信サーバにより配信される希望広告情報と該希望広告情報に対して選択される特定広告情報とを受信する受信ステップと、
前記受信ステップにより受信された希望広告情報を表示部に表示するとともに、前記ユーザインタフェースを介して次の希望広告情報要求があった場合に、受信された特定広告情報を表示部に表示する広告表示制御ステップと、
を有することを特徴とする広告配信処理方法。
【請求項１０】
請求項８乃至９に記載のいずれかの広告配信処理をコンピュータに実行させるためのプログラムを記憶したことを特徴とするコンピュータが読み取り可能な記憶媒体。
【請求項１１】
請求項８乃至９のいずれかに記載の広告配信処理をコンピュータに実行させるためのプログラム。
【手続補正２】
【補正対象書類名】明細書
【補正対象項目名】００１０
【補正方法】変更
【補正の内容】
【００１０】
本発明は、上記の問題点を解決するためになされたもので、本発明の第１の目的は、移動可能な移動端末装置と通信可能な広告配信サーバにおいて、移動端末装置より取得される希望広告情報に従い広告データベースを検索して希望広告情報を選択するとともに、該取得される特定情報に従い特定広告情報を選択し、該選択された希望広告情報と特定広告情報とを組み合わせてなる広告表示情報を生成して移動端末装置に対して配信することにより、様々な広告主から登録される特定広告情報が誰にも閲覧されることなく埋没してしまうような広告配信処理を回避して、登録されるすべての特定広告が配信され得る機会を均等に与えることができる利便性に優れた広告配信サービスを展開することができる広告配信サーバおよび広告配信処理方法およびコンピュータが読み取り可能な記憶媒体およびプログラムを提供することである。
【手続補正３】
【補正対象書類名】明細書
【補正対象項目名】００１１
【補正方法】変更
【補正の内容】
【００１１】
また、第２の目的は、通信により広告配信サーバに現在位置情報を通知可能な移動端末装置において、ユーザにより指定される希望広告情報と、前記ユーザの特定情報と、次の広告情報配信要求を前記広告配信サーバに発信するためのユーザインタフェースを介して指定されるユーザにより指定される希望広告情報と、前記ユーザの特定情報と、次の広告情報配信要求および前記移動端末装置の現在位置情報と、移動目的地情報とを前記広告配信サーバに発信し、広告配信サーバにより配信される希望広告情報と該希望広告情報に対して選択される特定広告情報とを受信し、該受信された希望広告情報を前記表示手段に表示するとともに、前記ユーザインタフェースを介して次の希望広告情報要求があった場合に、受信された特定広告情報を前記表示手段に表示することにより、ユーザが要求している希望広告情報と該希望広告情報以外に、該希望広告情報を要求している現在のユーザにとって有益となり得る特定広告情報を同時に閲覧可能となり、移動しているユーザの移動経路上の位置情報に関連性の深い特定広告情報をユーザに提供して、ユーザと広告主双方に有益な広告配信サービスを展開できる移動端末装置および広告配信処理方法およびコンピュータが読み取り可能な記憶媒体およびプログラムを提供することである。
【手続補正４】
【補正対象書類名】明細書
【補正対象項目名】００１２
【補正方法】変更
【補正の内容】
【００１２】
さらに、第３の目的は、移動端末装置と広告配信サーバとが通信可能な広告配信システムにおいて、広告配信サーバにおいて、移動端末装置より取得される希望広告情報に従い広告データベースを検索して希望広告情報を選択するとともに、該取得される特定情報に従い特定広告情報を選択し、該選択された希望広告情報と特定広告情報とを組み合わせてなる広告表示情報を生成して移動端末装置に対して配信する一方、移動端末装置において、ユーザにより指定される希望広告情報と、前記ユーザの特定情報と、次の広告情報配信要求を前記広告配信サーバに発信するためのユーザインタフェースを介して指定されるユーザにより指定される希望広告情報と、前記ユーザの特定情報と、広告情報配信要求を前記広告配信サーバに発信し、広告配信サーバにより配信される希望広告情報と該希望広告情報に対して選択されている特定広告情報とを受信し、該受信された希望広告情報を前記表示手段に表示するとともに、前記ユーザインタフェースを介して次の希望広告情報要求があった場合に、受信された特定広告情報を前記表示手段に表示することにより、様々な広告主から登録される特定広告情報が誰にも閲覧されることなく埋没してしまうような広告配信処理を回避して、登録されるすべての特定広告が配信され得る機会を均等に与えることができる利便性に優れた広告配信サービスを展開することができるとともに、ユーザが要求している希望広告情報と該希望広告情報以外に、該希望広告情報を要求している現在のユーザにとって有益となり得る特定広告情報を同時に閲覧可能となり、移動しているユーザの移動経路上の位置情報に関連性の深い特定広告情報をユーザに提供して、ユーザと広告主双方に有益な広告配信サービスを展開できる広告配信システムを提供することである。
【手続補正５】
【補正対象書類名】明細書
【補正対象項目名】００１３
【補正方法】変更
【補正の内容】
【００１３】
【課題を解決するための手段】
本発明に係る第１の発明は、移動可能な移動端末装置と通信可能な広告配信サーバであって、希望広告情報と特定広告情報とを管理する広告データベースと、前記移動端末装置のユーザにより指定される希望広告情報と、前記ユーザの特定情報と、広告情報配信要求を取得可能な取得手段（図３に示すネットワークインタフェース４０６ａに相当）と、前記取得手段により取得される希望広告情報に従い前記広告データベースを検索して希望広告情報を選択する第１の選択手段（図３に示す選択プログラム４０９ｂに相当）と、前記取得手段により取得される特定情報に従い前記広告データベースを検索して特定広告情報を選択する第２の選択手段（図３に示す選択プログラム４０９ｃに相当）と、前記第１，第２の選択手段により選択された希望広告情報と特定広告情報とを組み合わせてなる広告表示情報を生成して前記移動端末装置に対して配信する広告配信手段（図３に示すネットワークインタフェース４０６ａに相当）とを備えることを特徴とする。
【手続補正６】
【補正対象書類名】明細書
【補正対象項目名】００１４
【補正方法】変更
【補正の内容】
【００１４】
本発明に係る第２の発明は、前記取得手段は前記移動端末装置の現在位置情報と、移動目的地情報とを取得することを備え、前記取得手段により取得される前記現在位置情報と前記目的地情報とに従い特定の移動経路を検索する経路検索手段をさらに備え、前記第２の選択手段は、前記経路検索手段によって検索された経路の地点について、あらかじめ登録されている条件に従い前記広告データベースを検索して特定広告情報を選択することを特徴とする。
【手続補正７】
【補正対象書類名】明細書
【補正対象項目名】００１５
【補正方法】変更
【補正の内容】
【００１５】
本発明に係る第３の発明は、前記特定広告情報は、前記移動端末装置において次の希望広告情報の要求指示があった場合に、前記移動端末装置の表示部に表示されるためのデータであることを特徴とする。
【手続補正８】
【補正対象書類名】明細書
【補正対象項目名】００１６
【補正方法】変更
【補正の内容】
【００１６】
本発明に係る第４の発明は、前記広告配信手段は、前記取得手段により取得される前記移動端末装置の現在位置情報に従う特定位置に基づいて、前記第２の選択手段により前記広告データベースから特定広告情報を選択して前記希望広告情報に組み合わせて前記移動端末装置に対して配信することを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
本発明に係る第６の発明は、通信により広告配信サーバに現在位置情報を通知可能な移動端末装置であって、ユーザにより指定される希望広告情報と、前記ユーザの特定情報と、次の広告情報配信要求を前記広告配信サーバに発信するためのユーザインタフェースを表示する表示手段と、前記ユーザインタフェースを介して指定されるユーザにより指定される希望広告情報と、前記ユーザの特定情報と、次の広告情報配信要求および前記移動端末装置の現在位置情報と、移動目的地情報とを前記広告配信サーバに発信する発信手段（図２に示ネットワークインタフェース２０６ａに相当）と、前記広告配信サーバにより配信される希望広告情報と該希望広告情報に対して選択される特定広告情報とを受信する受信手段（図２に示ネットワークインタフェース２０６ａに相当）と、前記受信手段により受信された希望広告情報を前記表示手段に表示するとともに、前記ユーザインタフェースを介して次の希望広告情報要求があった場合に、受信された特定広告情報を前記表示手段に表示する広告表示制御手段（図２に示ＣＰＵ２０１が実行する広告情報表示制御プログラム２０９ｂに相当）とを有することを特徴とする。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
本発明に係る第７の発明は、移動端末装置と広告配信サーバとが通信可能な広告配信システムであって、広告配信サーバは、希望広告情報と特定広告情報とを管理する広告データベースと、前記移動端末装置のユーザにより指定される希望広告情報と、前記ユーザの特定情報と、広告情報配信要求を取得可能な取得手段（図３に示すネットワークインタフェース４０６ａに相当）と、前記取得手段により取得される希望広告情報に従い前記広告データベースを検索して希望広告情報を選択する第１の選択手段（図３に示す選択プログラム４０９ｂに相当）と、前記取得手段により取得される特定情報に従い前記広告データベースを検索して特定広告情報を選択する第２の選択手段（図３に示す選択プログラム４０９ｃに相当）と、前記第１，第２の選択手段により選択された希望広告情報と特定広告情報とを組み合わせてなる広告表示情報を生成して前記移動端末装置に対して配信する広告配信手段（図３に示すネットワークインタフェース４０６ａに相当）とを備え、前記移動端末装置は、ユーザにより指定される希望広告情報と、前記ユーザの特定情報と、次の広告情報配信要求を前記広告配信サーバに発信するためのユーザインタフェースを表示する表示手段と、前記ユーザインタフェースを介して指定されるユーザにより指定される希望広告情報と、前記ユーザの特定情報と、広告情報配信要求を前記広告配信サーバに発信する発信手段（図２に示ネットワークインタフェース２０６ａに相当）と、前記広告配信サーバにより配信される希望広告情報と該希望広告情報に対して選択されている特定広告情報とを受信する受信手段（図２に示ネットワークインタフェース２０６ａに相当）と、前記受信手段により受信された希望広告情報を前記表示手段に表示するとともに、前記ユーザインタフェースを介して次の希望広告情報要求があった場合に、受信された特定広告情報を前記表示手段に表示する広告表示制御手段（図２に示ＣＰＵ２０１が実行する広告情報表示制御プログラム２０９ｂに相当）とを有することを特徴とする。
【手続補正１５】
【補正対象書類名】明細書
【補正対象項目名】００２４
【補正方法】変更
【補正の内容】
【００２４】
本発明に係る第８の発明は、移動可能な移動端末装置と通信可能な広告配信サーバにおける広告配信処理方法であって、前記移動端末装置のユーザにより指定される希望広告情報と、前記ユーザの特定情報と、広告情報配信要求を取得可能な取得ステップ（図９に示すステップＳ２０１）と、前記取得ステップにより取得される希望広告情報に従い希望広告情報と特定広告情報とを管理する広告データベースを検索して希望広告情報を選択する第１の選択ステップ（図９に示すステップＳ２０５）と、前記取得ステップにより取得される特定情報に従い前記広告データベースを検索して特定広告情報を選択する第２の選択ステップ（図９に示すステップＳ２０６）と、前記第１，第２の選択ステップにより選択された希望広告情報と特定広告情報とを組み合わせてなる広告表示情報を生成して前記移動端末装置に対して配信する広告配信ステップ（図９に示すステップＳ２０７）とを備えることを特徴とする。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】変更
【補正の内容】
【００３１】
本発明に係る第９の発明は、通信により広告配信サーバに現在位置情報を通知可能な移動端末装置における広告配信処理方法であって、ユーザにより指定される希望広告情報と、前記ユーザの特定情報と、次の広告情報配信要求を前記広告配信サーバに発信するためのユーザインタフェースを表示する表示ステップと、前記ユーザインタフェースを介して指定されるユーザにより指定される希望広告情報と、前記ユーザの特定情報と、次の広告情報配信要求および前記移動端末装置の現在位置情報と、移動目的地情報とを前記広告配信サーバに発信する発信ステップ（図１０に示すステップＳ３０３）と、前記広告配信サーバにより配信される希望広告情報と該希望広告情報に対して選択される特定広告情報とを受信する受信ステップ（図１０に示すステップＳ３０４）と、前記受信ステップにより受信された希望広告情報を表示部に表示するとともに、前記ユーザインタフェースを介して次の希望広告情報要求があった場合に、受信された特定広告情報を表示部に表示する広告表示制御ステップ（図１０に示すステップＳ３１１）とを有することを特徴とする。
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】変更
【補正の内容】
【００３４】
本発明に係る第１０の発明は、第８乃至９の発明のいずれかの広告配信処理をコンピュータに実行させるためのプログラムを記憶した記憶媒体であることを特徴とする。
【手続補正２６】
【補正対象書類名】明細書
【補正対象項目名】００３５
【補正方法】変更
【補正の内容】
【００３５】
本発明に係る第１１の発明は、第８乃至９の発明のいずれかの広告配信処理をコンピュータに実行させるためのプログラムであることを特徴とする。